(57)【要約】【課題】パイロンの表示灯の点灯又は消灯を自動で行う。【解決手段】  互いに入れ子式に積み重ねることが可能な形状に形成されたパイロン本体１２の上部に内部に表示灯を備えた表示灯ユニット１４を設けたパイロン１０であって、前記表示灯２４に電力を供給する二次電池と、二次電池に充電する充電回路と、充電回路に電力を供給する充電コイルＬ２とを有し、充電コイルＬ２は、パイロンの基端部外周に一体に形成されたフランジ１６内の所定の位置に配置されている。パイロンを充電台３０上に載置し、充電台３０の駆動回路３２を駆動することで、磁束発生コイルＬ１の磁束により充電コイルＬ２に誘導電流が生じ、これにより二次電池を充電する。【選択図】            図３
2010084425.tif 000002
【特許請求の範囲】
【請求項１】
互いに入れ子式に積み重ねることが可能な形状に形成されたパイロン本体の上部に、内部に表示灯を備えた表示灯ユニットを設けたパイロンであって、
前記表示灯に電力を供給する二次電池と、二次電池に充電する充電回路と、充電回路に電力を供給する充電コイルとを有し、
少なくとも前記充電コイルは、パイロンの基端部外周に一体に形成されたフランジ内の所定の位置に配置されていることを特徴とするパイロン。
【請求項２】
請求項１に記載されたパイロンにおいて、
前記充電回路は二次電池の充電状態を監視する監視手段を有し、充電完了時に自動的に充電コイルを切り離すことを特徴とするパイロン。
【請求項３】
請求項１又は２に記載されたパイロンに充電するための磁束発生用コイルと、磁束発生用コイルの駆動回路とを備えたパイロン用充電台であって、
パイロンを載置したとき、前記フランジの充電コイルに対応する位置に前記磁束発生用コイルを内蔵したことを特徴とする、パイロン用充電台。
【発明の詳細な説明】
【技術分野】
【０００１】
本発明は、道路工事現場などで危険区域を表示するための表示灯を有するパイロン、とくに表示灯用の充電可能な二次電池を有するパイロン及びその充電台に関する。
【背景技術】
【０００２】
道路工事などにおいて危険区域を表示するためコーン型のパイロンが使用されている。パイロンは、夜間等暗い場所でも見やすくするため内部に表示灯を装備したものがある。この表示灯を点灯させるための電力は一般に電池又は蓄電池により供給される。
【０００３】
図９は、特許文献１に記載された従来のパイロンを示す。このパイロンの発光装置１３０は、パイロン本体１２０より透明度の高い赤色の合成樹脂で作られており、球状の頭部と、そこから下方に拡大して開く円錐形の膨大部とを有している。膨大部の内部には雌ねじが形成されており、パイロン本体１２０の頂部に形成した雄ねじとねじ係合する構成である。このようにして形成された発光装置１３０内には、電球、ＬＥＤなどの発光体１４２が備えられており、これらの電球や発光素子を発光させるための電源としてここでは乾電池１４３が用いられている。
【０００４】
しかしながら、パイロンは例えば夜間などにおいて連続して点灯させておく必要があるため、乾電池１４３を比較的頻繁に取り替える必要がある。しかし、乾電池１４３はパイロンの発光装置１３０内に収納されているため、その交換を一台毎に頻繁に行うことは不便である。
乾電池に代えて二次電池を用いることも考えられるが、二次電池を収納する表示部ユニットを取り外して外部電源に接続し、二次電池の充電をパイロン一台毎に行うのは煩雑である。
【特許文献１】特開平１０−６０８４２号公報
【発明の開示】
【発明が解決しようとする課題】
【０００５】
本発明は、従来のパイロンの表示灯の電源についての上記問題を解決するためになされたものであって、その目的は、パイロンの表示灯に用いる二次電源の充電を複数台のパイロンを纏めて自動的かつ容易に行えるようにすることである。
【課題を解決するための手段】
【０００６】
請求項１の発明は、互いに入れ子式に積み重ねることが可能な形状に形成されたパイロン本体の上部に、内部に表示灯を備えた表示灯ユニットを設けたパイロンであって、前記表示灯に電力を供給する二次電池と、二次電池に充電する充電回路と、充電回路に電力を供給する充電コイルとを有し、少なくとも前記充電コイルは、パイロンの基端部外周に一体に形成されたフランジ内の所定の位置に配置されていることを特徴とする。
請求項２の発明は、請求項１に記載されたパイロンにおいて、前記充電回路は二次電池の充電状態を監視する監視手段を有し、充電完了時に自動的に充電コイルを切り離すことを特徴とする。
請求項３の発明は、請求項１又は２に記載されたパイロンに充電するための磁束発生用コイルと、磁束発生用コイルの駆動回路とを備えたパイロン用充電台であって、パイロンを載置したとき、前記フランジの充電コイルに対応する位置に前記磁束発生用コイルを内蔵したことを特徴とする。
【発明の効果】
【０００７】
本発明によれば、パイロンを単に充電台上に重ねて置くだけで、例えば、従来のように表示部ユニットを取り外すことなく、複数のパイロンに内蔵された二次電池を自動的に纏めて充電することができる。また、パイロンを重ねた状態で充電を行ったとき、充電が完了した充電コイルを自動切断することで、他の充電未完了のパイロンの充電をより迅速に行うことができる。
【発明を実施するための最良の形態】
【０００８】
本発明のパイロンの第１の実施形態について図面を参照して説明する。
図１Ａは、本実施形態に係るパイロン１０の断面図であり、図１Ｂは同平面図である。
パイロン１０は、図１Ａに示すように、例えば赤色の不透明合成樹脂材料で形成されたパイロン本体１２と、このパイロン本体１２の上部に一体に設けられた、例えば赤色透明又は半透明の合成樹脂材料でできた表示灯ユニット１４から成っており、全体として円錐台形に形成されている。
パイロン本体１２の下端部は、それと一体に形成された例えば矩形又は円形の接地面となる平坦な例えば矩形のフランジ（鍔状部）１６からなっている。
【０００９】
表示灯ユニット１４内には例えばＬＥＤなどの発光体からなる表示灯２４が配置されており、他方、パイロン本体１２の上記矩形のフランジ１６の一隅部近傍には、図１Ｂに示すように、充電コイルＬ２、充電コイルＬ２と導電性のワイヤ２３によって接続された充電回路２０、及び二次電池２５が内蔵されている。充電回路２０は、充電コイルＬ２が後述する磁束発生コイルＬ１による交番磁束中に配置されたとき、充電コイルＬ２からの電流を制御して二次電池２５を充電する。表示ユニット１４内にある表示灯２４は二次電池２５とは導電性ワイヤ２６で接続され、二次電池２５から給電されて発光する。
【００１０】
図２は、以上で説明したパイロン１０を互いに入れ子式に重ね合わせた状態で充電台３０上に配置した状態を示す断面図である。
ここでは例えば３つのパイロン１０が重ね合わさっており、その接地面となるフランジ１６は互いに上下に密に重なって充電台３０上に水平に配置されており、フランジ１６内に配置された充電コイルＬ２は、それぞれ充電台３０の磁束発生コイルＬ１に対して位置整合した状態で上下に配置されている。
充電台３０は例えば合成樹脂製であり、その形状などは任意であるが、少なくともパイロン１０の平坦なフランジ１６に対応した平坦面を有し、パイロン１０をその上に載置したとき、そのフランジ１６内に内蔵されている充電コイルＬ２に対応する位置に磁束発生コイルＬ１が埋め込まれている。磁束発生コイルＬ１は導電性ワイヤ３４により駆動回路３２に接続されており、駆動回路３２を駆動することにより、磁束発生コイルＬ１に電流を流して磁束を発生させる。この駆動回路３２も充電台３０に内蔵されている。この駆動回路３２の電源は、例えば一般家庭用の商用電源その他の任意の電源を用いることができる。
【００１１】
なお、磁束発生用コイルＬ１とパイロン１０の充電コイルＬ２との位置合わせを容易にするために、フランジ１６の、充電コイルＬ２の位置以外の部分に、例えばその下面に凹部及び上面に凸部（凹凸条でもよい）を形成しておき、他方、充電台３０の上面にパイロン１０の凹部に対応する凸部を形成しておく。
そのようにすることにより、最初のパイロン１０のフランジ１６の凹部を充電台３０の突部に位置合わせし、続いて上下のパイロン１０の凹凸部を合わせるようにすれば、磁束発生用コイルＬ１と充電コイルＬ２との位置合わせを容易に行うことができる。或いは、パイロン１０のフランジ１６部分と、充電台３０に対応する目印を付しておくことで位置合わせをおこなってもよい。
【００１２】
パイロン１０の二次電池２５の充電を行うときは、まず所要の数のパイロン１０を充電台３０に載せ、次に充電台３０の駆動回路３２を作動させて駆動回路に接続された磁束発生コイルＬ１に通電すると、磁束発生コイルＬ１に図２に示すような磁束Ｆが発生し、この磁束中に配置されたパイロン１０の充電コイルＬ２には誘導電流が発生する。
パイロン１０の二次電池２５は以下で説明する充電回路２０を介してこの誘導電流により充電される。
【００１３】
図３はパイロン１０の充電回路の一例を示す。
充電回路２０は、充電コイルＬ２に接続され、充電コイルＬ２の誘導電流で二次電池２５へ充電するための充電制御を行う。
充電回路２０は、図３に示すように、充電コイルＬ２に接続されて入力される交流電流を全波整流して直流電流に変換するダイオードブリッジ２１と、ダイオードブリッジ２１の正極出力端２１ａに接続されたトランジスタＴ１と、トランジスタＴ１のエミッタ−ベース間に接続された抵抗Ｒ１と、トランジスタＴ１のベース及び抵抗Ｒ１と、ＭＯＳトランジスタＱ１のドレンＤ側とに接続された抵抗Ｒ２と、ソースＳ側がダイオードブリッジ２１の負極端子２１ｂに接続された上記ＭＯＳトランジスタＱ１と、ＭＯＳトランジスタＱ１のゲートＧ及びトランジスタＴ２のコレクタとダイオードブリッジ２１の正極側端子２１ａとの間に接続された高抵抗Ｒ３と、エミッタ側がダイオードブリッジ２１の負極側に接続され、かつそのベース側がＣＰＵ２２に接続されたトランジスタＴ２と、トランジスタＴ１のコレクタ側にダイオードＤ１と抵抗Ｒ７を介してその正極側端子が接続され、負極側がダイオードブリッジ２１の負極側端子２１ｂに接続された二次電池２５と、ダイオードブリッジ２１の端子２１ａ、２１ｂ間で二次電池２５と並列に接続されたＣＰＵ２２と、二次電池２５に並列に接続された抵抗Ｒ５、Ｒ６と、抵抗Ｒ５と抵抗Ｒ６間に接続されたＣＰＵ２２の端子と、ベース側がＣＰＵ２２に接続され、エミッタ側がダイオードブリッジ２１の負極２１ｂ側に接続され、コレクタ側が抵抗Ｒ８を介して表示灯２４に接続されたトランジスタＴ３と、一端側が抵抗Ｒ８と、他端側が抵抗Ｒ７、ダイオードＤ１を介してダイオードブリッジ２１の正極側端子２１ａに接続された表示灯２４を備えている。
【００１４】
次に、充電回路２０の動作について説明する。
パイロン１０を図２に示すように入れ子式に重ねて充電台３０上に載置して、例えば図示しないスイッチを手動又は自動で操作して充電台３０の駆動回路３２を駆動すると、その磁束発生コイルＬ１に交流電流が流れて磁束Ｆが発生する。発生した磁束Ｆは、図２に示すように、その上に積み重ねた複数の充電コイルＬ２を横切るため、充電コイルＬ２に誘導電流が発生する。誘導電流は充電回路２０のダイオードブリッジ２１によって全波整流されて直流電流として充電回路の端子間２１ａ、２１ｂから取り出される。
【００１５】
即ち、正極端子間に直流電圧が印加されるため、高抵抗Ｒ３に接続されたＭＯＳトランジスタＱ１に正極端子電位がゲートＧに印加されてＭＯＳトランジスタＱ１のソースＳ−ドレンＤ間がＯＦＦからＯＮに切り替わる。ＭＯＳトランジスタＱ１がＯＮすると、抵抗Ｒ１、Ｒ２、ＭＯＳトランジスタＱ１を通って電流が流れる。
抵抗Ｒ１に電流が流れると、トランジスタＴ１が導通してＯＮとなる。トランジスタＴ１がＯＮすることによりダイオードＤ１、抵抗Ｒ７を介して二次電池２５に電流が流入して充電を開始する。
【００１６】
ここで、二次電池２５の充電電圧がＣＰＵの動作電圧Ｖ０に達すると、ＣＰＵ２２は、抵抗Ｒ５、抵抗Ｒ６の分圧で二次電池２５の充電電圧を監視し、充電電圧が一定電圧Ｖ１に達すると、トランジスタＴ３のベース電圧を制御してこれをＯＮして表示灯２４を点灯させる。
その状態で、さらに充電電圧が上昇してＣＰＵ２２が満充電と判断したときは、トランジスタＴ２のベース電圧を制御してこれをＯＮする。
トランジスタＴ２がＯＮすると、ＭＯＳトランジスタＱ１のゲートＧの電位が下がり、ＭＯＳトランジスタＱ１はＯＦＦし、充電コイルＬ２は高抵抗Ｒ３以外から切り離される。つまり、充電コイルＬ２は充電回路２０から実質上自動切断されて二次電池２５の充電は停止する。
【００１７】
二次電池２５の電圧が降下して一定電圧Ｖ１以下になると、ＣＰＵ２２はトランジスタＴ２をＯＦＦし、二次電池２５の電圧が更にＶ２に低下すると、ＣＰＵ２２は動作不能となり、トランジスタＴ３のベース電圧も制御不可となるためトランジスタＴ３はＯＦＦして表示灯は消灯する。また、その状態ではトランジスタＴ２を駆動できないため、トランジスタＴ２はＯＦＦを維持する。
トランジスタＴ２がＯＦＦすると、ＭＯＳトランジスタＱ１のゲートＧにはダイオードブリッジ２１から高抵抗Ｒ３を介して制御電圧が印加される結果、ＭＯＳトランジスタＱ１はＯＮし、これにより上述のようにトランジスタＴ１がＯＮする。そのため、二次電池２５は、ダイオードＤ１と抵抗Ｒ７を介してダイオードブリッジ２１の端子２１ａ、２１ｂ間に接続されて再度充電を開始する。
【００１８】
以上の説明では、二次電池２５の充電電圧がＶ１に達すると表示灯２４は自動的に点灯することになる。しかし、表示灯２４は夜間など周囲が暗い環境で使用するときに必要であるが、明るい環境では必ずしも必要ではない。そのため表示灯２４の点滅のための電源スイッチを別途設けておくことができる。
また、これとは別に、電源スイッチをＯＮ状態にして、しかし、充電や格納時におけるようにパイロン１０を積み重ねたときには消灯し、一個ずつ離したときには表示灯２４が点灯するように、表示灯２４の自動消灯スイッチを表示灯２４と二次電池２５を結ぶ回路上のいずれかの位置に設けてもよい。
即ち、例えば、特許文献１に示す機械的なスイッチを用いて、パイロン１０の上部にスイッチを設けて、パイロン１０を積み重ねた状態にしたときに、上側のパイロン１０の自重を利用して下側のパイロンの表示灯１０のスイッチを作動して表示灯１０を消灯することができる。
【００１９】
ただ、機械的なスイッチ機構を用いる場合は、スイッチ機構に可動部を設けるため長期の使用を行うと故障が生じる可能性がある。そこで、本実施形態では、可動部のないスイッチとして、例えば、パイロン１０の上部に磁石（永久磁石）と、ホールＩＣからなる磁気検知器とを設けて、パイロン１０を重ねたときに、相手側の磁石の磁気を検知して表示灯２４を消灯するようにしている。
【００２０】
図４は、第２の実施形態のパイロン１０を積み重ねた状態における断面図である。
表示灯ユニット１４は、円形の上壁１４１、円形の上壁１４１よりも大径の底壁１４２、及び上下壁１４１，１４２間に延在する側壁１４３からなる円錐台形の閉じた容器状をなし、その上壁１４１中央部には磁気検出器１４０が、また底壁１４２の中央部の上記磁気検出器１４０に対応した位置に磁石（永久磁石）１４６が設けられている。
また、底壁１４２上には、表示灯２４が配置されている。
【００２１】
図５Ａは、表示灯２４の点灯制御回路を示す。
点灯制御回路は、表示灯２４と、表示灯２４に電力を供給する二次電池２５と、表示灯２４の一端と二次電池２５の間に接続されたトランジスタＴと抵抗Ｒａ１からなるスイッチング素子と、スイッチング素子のＯＮ／ＯＦＦ制御するためのホールＩＣ１４０ａと抵抗Ｒａ１を備えた磁気検出器１４０から成っている。
【００２２】
図５Ｂは、図５Ａに示す点灯制御回路の動作タイミング図である。
ここで、ホールＩＣ１４０ａには常に二次電池２５から電流が供給されており、その状態でホールＩＣ１４０ａは磁気を感知するとホールＩＣ１４０ａに起電力が生じることで磁気検出が行われる。
磁気を検出すると、ホールＩＣ１４０ａに起電力が生じるため、ホール入力ＩＣ１４０ａの出力側の電圧は０Ｖに降下する。
表示灯２４は、ホールＩＣ１４０ａが磁気検出しない状態では、二次電池２５の電圧が抵抗Ｒａ１とＲａ２により分圧された電圧がトランジスタＴのベースに印加されているため、トランジスタが導通し、したがって表示灯２４は二次電池２５からの電力供給を受けて点灯している。
ここで、ホールＩＣ１４０ａは磁気を検出すると、二次電池２５に対してホールＩＣ１４０ａの出力が０Ｖとなる起電力を生じるため、トランジスタＴのベース電圧も０Ｖとなり、トランジスタＴによるスイッチング回路１４７は開放する。そのため、表示灯２４は消灯する。
【００２３】
この点灯動作タイミング図から明らかなように、パイロン１０を上下に入れ子式に積み重ねたとき、下側のパイロンの上壁１４１の上面と上側のパイロンの底壁１４２の下面が当接するため、夫々に設けられた磁気検出器１４０と磁石１４６とが当接又は近接し、それによって二次電池２５から表示灯２４への通電が遮断される結果、消灯する。逆に、上側のパイロン１０を下側のパイロン１０から分離すると、二次電池２５から表示灯２４への通電が再開される結果、表示灯２４は点灯する。
【００２４】
本実施形態では、パイロンを積み重ねた時、最下部のパイロンについては、従来と同様に別途設けた手動スイッチによる点灯電源のＯＮ／ＯＦＦが必要である。
なお、以上の説明では、表示灯ユニット１４の上壁に磁気検出器１４０を、また、底壁に磁石１４６を設けたものとして説明したが、表示灯ユニット１４の上壁に磁石１４６を、また底壁に磁気検出器１４０を設けたものでもよい。この場合には、パイロンを積み重ねた時、最上部のパイロンについては、従来と同様に別途設けた手動スイッチによる点灯電源をＯＮ／ＯＦＦすることが必要である。
【００２５】
次に、本発明の第３の実施形態について図６を参照して説明する。
図６は、第３の実施形態のパイロンの積み重ねた状態における断面図である。
第３の実施形態のパイロンは、第２のパイロンでは、手動スイッチの操作を必要としたが、本実施形態ではこれを不要とするものである。
第３の実施形態のパイロンを示す断面図であり、図中、第２の実施形態と同一の箇所には同一の符号を付してある。
本実施形態のパイロン１０は、第２の実施形態の表示灯ユニット１４に相違して、表示灯ユニット１４の上壁１４１の中央部に配置した磁気検出器１４０から所定間隔を置いて磁石（永久磁石）１４６が設けられており、他方、その底壁１４２には、その中央部に設けた磁石１４６Ｒに加えて、そこから所定間隔を置いて前記磁石１４６Ｒに対応して磁気検出器１４０Ｒが設けられている。その他の点では、第２の実施形態のパイロン１０と同じである。
【００２６】
図７は、第３の実施形態のパイロンの表示灯の点灯制御回路である。
この点灯制御回路は、第１の実施形態に対して、表示灯ユニット１４の底壁１４２に下部ホールＩＣ１４０ａＲを配置した結果、二つのホールＩＣつまり上部ホールＩＣ１４０ａと下部ホールＩＣ１４０ａＲを備えた点で相違し、その他の点では同様である。
【００２７】
図８は、本実施形態のパイロンの点灯制御回路の動作タイミング図である。
即ち、図８Ａ、８Ｂは、二段重ねにしたときの動作タイミング図であり、図８Ｃは３段以上重ねたときの、上端または下端以外の中間に位置するパイロンの点灯制御回路の動作タイミング図である。
先ず、図８Ａについて説明する。
この状態は、最初のパイロン１０の上に他のパイロン１０を積み重ねた状態における、上側のパイロン１０の表示灯２４の点灯制御回路の動作タイミングを示す。この状態においては、上部磁気検出器１４０による磁気の検知はないから上部ホールＩＣ１４０ａはオープンの状態にある。
他方、下側磁気検出器１４０Ｒはその下側にあるパイロン１０の上側の磁石１４６に当接したときにその磁気を検出する。それによって、下部ホールＩＣ１４０ａＲは起電力を生じ、その出力電圧０ＶがトランジスタＴのベースに印加される結果、表示灯のスイッチング回路１４７のトランジスタＴを開放する。つまり、表示灯２４を消灯する。
【００２８】
図８Ｂは、パイロン１０の上に他のパイロン１０を積み重ねた状態における下側のパイロン１０の表示灯２４の点灯制御回路の動作タイミングを示す。この状態においては、上部磁気検出があるとき上部ホールＩＣ１４０ａはその出力電圧が０Ｖになるような起電力を発生し、したがって、表示灯２４が消灯することを示している。
なお、下側のパイロン１０の下側磁気検出器１４０Ｒは磁気を検出しないから、下部ホールＩＣ１４０ａＲは積み重ねの前後においてオープンのままであるが、表示制御回路から明らかなように、表示灯２４と二次電池２５とを回路中のスイッチング機構は既に上部ホールＩＣ１４０ａの出力が０Ｖとなっているため、ＯＦＦになっているので、表示灯２４は、下側パイロン１０の状態に関係なく上に別のパイロン１０を積み重ねたとき消灯する。
逆に上側のパイロン１０を外せば再び点灯する。
【００２９】
図８Ｃは、下側パイロン１０の上に他のパイロン１０を積み重ねた状態においてさらにその上にパイロン１０を積み重ねたときの、中間に位置するパイロンの表示制御回路の動作タイミングを示す図である。
この場合は、上下いずれの磁気検出器１４０，１４０Ｒとも夫々上下に隣接するパイロンの磁石１４６、１４６Ｒの磁気を検出する。つまり、上部ホールＩＣ１４０ａ，下部ホールＩＣ１４０ａＲとも磁気を検出してそれぞれ起電力を生じる。つまり、上部ホールＩＣ１４０ａ，下部ホールＩＣ１４０ａＲのいずれの出力電圧とも０Ｖとなる。それに伴って表示灯２４と二次電池２５とを結ぶ回路に接続されたスイッチング回路１４７はＯＦＦになるため、表示灯２４は消灯する。
なお、上にあるパイロン１０を外しただけでは図５Ｂに付いて説明したように下にあるパイロン１０の表示灯２４は点灯しない。当該パイロン１０を外したとき初めて点灯する。
【００３０】
また、以上で説明した実施形態における上壁１４１及び底壁１４２における磁気検出器１４０と磁石１４６、磁石１４６Ｒの配置を逆にして、底壁１４２の中心部に磁気検出器１４０を配置すると共に、その周りに所定間隔を隔てて磁石１４６Ｒを配置し、上壁１４１の中央部に磁石１４６を配置しかつその磁気検出器１４０から所定間隔を隔てて前記磁石１４６Ｒに対応して磁気検出器１４０Ｒを設けてもよい。
以上、第２及び第３の実施形態では、被検出体として磁石を、検出体として磁気検出器であるとして説明したが、被検出体及び検出体はこれらに限定されず、他の周知の近接スイッチ素子、例えば、一方を発光体とし他方を光センサで構成することもできる。
なお、以上の実施形態において、パイロン１０の充電が完了したときに充電コイルＬ２を自動切断する構成を採ったことにより、複数のパイロン１０を重ねてまとめて充電を行う場合、充電が完了したパイロン１０から充電コイルＬ２が自動切断される結果、残りの未充電のパイロン１０の充電を速めることができる。
【図面の簡単な説明】
【００３１】
【図１】図１Ａは第１の実施形態のパイロンの断面図、図１Ｂはその平面図である。
【図２】第１の実施形態のパイロンの積み重ねた状態における断面図である。
【図３】第１の実施形態のパイロンの充電回路である。
【図４】第２の実施形態のパイロンを積み重ねた状態における断面図である。
【図５】図５Ａは第２の実施形態の表示灯の点灯制御回路、図５Ｂは図５Ａに示す点灯制御回路の動作タイミング図である。
【図６】第３の実施形態のパイロンの積み重ねた状態における断面図である。
【図７】第３の実施形態のパイロンの表示灯の点灯制御回路である。
【図８】第３の実施形態のパイロンの点灯制御回路の動作タイミング図であり、図８Ａ、８Ｂは、二段重ねにしたときの動作タイミング図、図８Ｃは３段以上重ねたときの、上端または下端以外の中間に位置するパイロンの点灯制御回路の動作タイミング図である。
【図９】従来のパイロンの積み重ねた状態における断面図である。
【符号の説明】
【００３２】
１０・・・パイロン、１２・・・パイロン本体、１４・・・表示灯ユニット、２０・・・充電回路、２１・・・ダイオードブリッジ、２２・・・ＣＰＵ、２４・・・表示灯、２５・・・二次電池、２６・・・導電性ワイヤ、３０・・・充電台、３２・・・駆動回路、１４０，１４０Ｒ・・・磁気検出器、１４０ａ，１４０ａＲ・・・ホールＩＣ、１４１・・・上壁、１４２・・・底壁、１４３・・・側壁、１４４・・・表示灯、１４６，１４６Ｒ・・・磁石、１４７・・・スイッチング回路。
【図１】
2010084425.tif 000003
【図２】
2010084425.tif 000004
【図３】
2010084425.tif 000005
【図４】
2010084425.tif 000006
【図５】
2010084425.tif 000007
【図６】
2010084425.tif 000008
【図７】
2010084425.tif 000009
【図８】
2010084425.tif 000010
【図９】
2010084425.tif 000011